(57)【要約】【課題】光集線ネットワークシステムの通信インタフェースに関するコストを削減すること。【解決手段】光集線ネットワークシステムの左側アクセスノード１および右側アクセスノード２は、左系統ＮＷ７Ｌにバースト信号を送信するバースト送信器と、右系統ＮＷ７Ｒにバースト信号を送信するバースト送信器とを備えており、各バースト送信器のスケジューラ５３は、コアノード宛てのバースト信号を格納するキュー５９ａと、あて先のアクセスノード別に設けられたバースト信号を格納するキュー５９ｂ、５９ｃとからそれぞれ読み取ったパケットを、自身から各あて先のノードへの送信処理に割り当てられている通信資源を用いて、バースト送信ＩＦ５５を介して送信する。【選択図】図３
2018042126.tif 000002
【特許請求の範囲】
【請求項１】
制御主体となるコアノードと、前記コアノードに制御される複数のアクセスノードとが、複数本の光伝送路で接続される光集線ネットワークシステムが実行する光信号送信方法であって、
前記複数本の光伝送路は、それぞれ前記コアノードを起点として、前記複数のアクセスノードの接続順序が互いに異なっており、
前記各アクセスノードは、前記複数本の光伝送路に対してバースト信号を送信するバースト送信器を、前記複数本の光伝送路ごとに備えており、
前記各バースト送信器は、前記コアノードをあて先とするパケットを格納するキューと、あて先の前記アクセスノード別に設けられたパケットを格納するキューとからそれぞれ読み取ったパケットを、自身から各あて先のノードへの送信処理に割り当てられている通信資源を用いて、同じ通信インタフェースを介して送信することを特徴とする
光信号送信方法。
【請求項２】
制御主体となるコアノードと、前記コアノードに制御される複数のアクセスノードとが、複数本の光伝送路で接続される光集線ネットワークシステムが実行する光信号送信方法であって、
前記複数本の光伝送路は、それぞれ前記コアノードを起点として、前記複数のアクセスノードの接続順序が互いに異なっており、
前記各アクセスノードは、前記複数本の光伝送路に対してバースト信号を送信するバースト送信器を、前記複数本の光伝送路ごとに備えており、
前記各バースト送信器は、前記コアノードをあて先とするパケットと、前記各アクセスノードをあて先とするパケットとを格納するキューから読み取ったパケットを、自身のパケット送信に割り当てられている通信資源を用いて、同じ通信インタフェースを介して送信することを特徴とする
光信号送信方法。
【請求項３】
制御主体となるコアノードと、前記コアノードに制御される複数のアクセスノードとが、複数本の光伝送路で接続される光集線ネットワークシステムであって、
前記複数本の光伝送路は、それぞれ前記コアノードを起点として、前記複数のアクセスノードの接続順序が互いに異なっており、
前記各アクセスノードは、前記複数本の光伝送路に対してバースト信号を送信するバースト送信器を、前記複数本の光伝送路ごとに備えており、
前記各バースト送信器は、前記コアノードをあて先とするパケットを格納するキューと、あて先の前記アクセスノード別に設けられたパケットを格納するキューとからそれぞれ読み取ったパケットを、自身から各あて先のノードへの送信処理に割り当てられている通信資源を用いて、同じ通信インタフェースを介して送信することを特徴とする
光集線ネットワークシステム。
【請求項４】
制御主体となるコアノードと、前記コアノードに制御される複数のアクセスノードとが、複数本の光伝送路で接続される光集線ネットワークシステムであって、
前記複数本の光伝送路は、それぞれ前記コアノードを起点として、前記複数のアクセスノードの接続順序が互いに異なっており、
前記各アクセスノードは、前記複数本の光伝送路に対してバースト信号を送信するバースト送信器を、前記複数本の光伝送路ごとに備えており、
前記各バースト送信器は、前記コアノードをあて先とするパケットと、前記各アクセスノードをあて先とするパケットとを格納するキューから読み取ったパケットを、自身のパケット送信に割り当てられている通信資源を用いて、同じ通信インタフェースを介して送信することを特徴とする
光集線ネットワークシステム。
【発明の詳細な説明】
【技術分野】
【０００１】
本発明は、光信号送信方法、および、光集線ネットワークシステムの技術に関する。
【背景技術】
【０００２】
メトロ網は、アクセス網装置の物理的／論理的な多重集線と地理的に離れた通信ビル間の伝送という役割を担う。そのため、メトロ網は、様々な帯域粒度／サービス要件のトラフィックを多重収容する必要がある。また、メトロ網が収容するトラフィックやトポロジなどは、地域によって異なっている。例えば、都市部と人口が少ないルーラルエリアでは、収容する実トラフィックに大きな差がありネットワーク全体の低コスト化、省電力化のためには、ルーラルエリアでは、ルーラルエリアのメトロ網に適したアーキテクチャが求められる。
【０００３】
光集線ネットワークシステムを用いてメトロ網を構築するときに、トラフィック量が波長帯域に比べて小さい場合は、波長帯域より細かい帯域粒度でパス多重機能が効果的となるため、ＭＰＬＳ−ＴＰ（multiprotocol label switching transport profile）スイッチやＯＤＵ−ＸＣ（optical data unit cross connect）導入の提案がある。しかし、これらの高度かつ複雑な技術の導入により、コストの増大を招いてしまう。
そこで、伝送路上から可能な限りＯ／Ｅ／Ｏ変換・電気処理を排除し、光パッシブデバイスを活用した光領域での時分割多重によりトラフィックを効率的に多重するＰＳＬ（Photonic Sub-Lambda）トランスポートネットワーク（以下、ＰＳＬネットワーク）が提案されている。
【０００４】
ＰＳＬネットワークにおいてＰＯＮ（Passive Optical Network）デバイスを使用することで、更なる低コスト化を実現することが可能である。例えば、非特許文献１，２には、ＰＯＮデバイスを使用しつつ、ＰＯＮでは許容されていない任意ノード間での通信も許容するシステムが提案されている。ここで、ＰＯＮのＯＮＵ（Optical Network Unit）は、他のＯＮＵに向けて送受信するためのＯＮＵ間インタフェースと、ＰＯＮのＯＬＴ（Optical Line Terminal）に向けて送受信するためのＯＬＴ用インタフェースとをそれぞれ配備する必要がある（非特許文献３）。
【先行技術文献】
【非特許文献】
【０００５】
【非特許文献１】中川雅弘他、「Photonic Sub-Lambdaトランスポートネットワークの提案」、信学技報、PN2015-115（2016-03）.
【非特許文献２】服部恭太他、「Photonic Sub-Lambdaトランスポートネットワークにおける上りバースト信号の送信方向切り替えによる低遅延化方式の評価」、信学技報、PN2015-116（2016-03）.
【非特許文献３】An V.Tran et al. ,「Bandwidth-Efficient PON System for Broad-Band Access and Local Customer Internetworking」, IEEE PHOTONICS TECHNOLOGY LETTERS, VOL.18, NO.5 MARCH 1, 2006.
【発明の概要】
【発明が解決しようとする課題】
【０００６】
光集線ネットワークシステムを導入するときには、各ノードの装置コストの削減が望まれる。そして、装置コストの削減には、装置が有する通信インタフェースの削減が有効である。以下、図８，図９を参照して、光集線ネットワークシステム上に流れる信号と、その信号の送受信に使用されるインタフェースとを説明する。
【０００７】
図８は、光集線ネットワークシステムにおける下り連続信号の流れを示す図である。
メトロ網のコアノードは代表ビルなどに配備され、例えばＰＯＮのＯＳＵに相当する機能を有するＯＬＴとして構成される。メトロ網のアクセスノードは、加入者収容ビルなどに配備され、例えばＰＯＮのＯＮＵ（Optical Network Unit）に相当する機能を有する。
中央上部に位置するコアノード（Node-C）には、その左側から接続する回線（以下、左系統ＮＷ７Ｌ）と、右側から接続する回線（以下、右系統ＮＷ７Ｒ）とがそれぞれ接続されている。
各系統の回線には、それぞれ光パッシブデバイスであるカプラ（以下「ＣＰ」）を介して、そのカプラから分岐するアクセスノード（Node-A1〜A4）が接続されている。
なお、カプラとノードとの関係について、ノードの外側にカプラを接続する構成でもよいし、ノードの内部にカプラを備える構成でもよい。以下では、ノードの外側にカプラを接続する構成を例示する。
【０００８】
ここで、各アクセスノードの接続順序は、２つの系統によって異なる。
左系統ＮＷ７Ｌには、コアノード（Node-C）を最上流とすると、下流側に向かって、Node-A1、Node-A2、Node-A3、Node-A4（最下流）の順に接続されている。
右系統ＮＷ７Ｒには、コアノード（Node-C）を最上流とすると、下流側に向かって、Node-A4、Node-A3、Node-A2、Node-A1（最下流）の順に接続されている。つまり、左系統ＮＷ７Ｌと右系統ＮＷ７Ｒとは、アクセスノードの接続順序が正反対の関係である。
図中の矢印の向きに沿って、コアノード（Node-C）からの下流側に向かう連続信号が、各アクセスノードに送信される。各カプラは、上流側から流れてきた連続信号を分岐し、その１つの連続信号を自身の下流側のカプラに送信し、もう１つの連続信号を自身の接続先のアクセスノードに送信する。
つまり、コアノードから２系統を用いて、各アクセスノードに対して左右別々の順序でパケットなどのクライアント信号が格納された光バースト（以下、単にパケットと略す）が、送信される。
【０００９】
図９は、図８の光集線ネットワークシステムにおけるバースト信号の流れを示す図である。
前記の図８の下り連続信号とは逆方向で、コアノード（Node-C）に向かう上り信号は、バースト信号により送信される。符号１０１では、上りの送信方向を矢印で示す。バースト信号とは、間欠的な光信号である。送受信タイミングをリアルタイムに管理することで、１波長内に複数のパスの多重収容が可能となる。
【００１０】
なお、各アクセスノードは、コアノード（Node-C）に向かう上り信号だけでなく、自身からみて上流側に位置する他のアクセスノードに向かう上り信号も送信可能である。
符号１０２では、Node-A2に着目して、２つのアクセスノード（Node-A1、Node-A3）をあて先とする信号を送信する場合を考える。
Node-A2は、自身から見て左側に位置するNode-A1の送信には、左系統ＮＷ７Ｌを用いる。
Node-A2は、自身から見て右側に位置するNode-A3の送信には、右系統ＮＷ７Ｒを用いる。
【００１１】
従来のＰＯＮシステムに用いられるデバイスでは、符号１０１に示したコアノード（Node-C）をあて先とする上り信号を処理するためのバースト送信器と、符号１０２に示したアクセスノードをあて先とする上り信号を処理するためのバースト送信器とがそれぞれ物理的に別々に用意されていた。
しかし、バースト送信器は、送信バッファを有していたり、送信タイミング制御などの高度な処理を行う処理部を有していたりするため、ノード内に多数含めてしまうと、装置コストがかかってしまう。また、バースト送信器と外部接続するための通信インタフェースも多数用意すると、ノードの大型化や接続するケーブルの複雑化を招いてしまい、コスト増につながる。
【００１２】
そこで、本発明は、光集線ネットワークシステムの通信インタフェースに関するコストを削減することを、主な課題とする。
【課題を解決するための手段】
【００１３】
前記課題を解決するために、本発明の光信号送信方法は、以下の各処理を有する。
つまり、本発明は、制御主体となるコアノードと、前記コアノードに制御される複数のアクセスノードとが、複数本の光伝送路で接続される光集線ネットワークシステムが実行する光信号送信方法であって、
前記複数本の光伝送路が、それぞれ前記コアノードを起点として、前記複数のアクセスノードの接続順序が互いに異なっており、
前記各アクセスノードが、前記複数本の光伝送路に対してバースト信号を送信するバースト送信器を、前記複数本の光伝送路ごとに備えており、
前記各バースト送信器が、前記コアノードをあて先とするパケットを格納するキューと、あて先の前記アクセスノード別に設けられたパケットを格納するキューとからそれぞれ読み取ったパケットを、自身から各あて先のノードへの送信処理に割り当てられている通信資源を用いて、同じ通信インタフェースを介して送信することを特徴とする。
【００１４】
これにより、コアノード宛てのバースト信号を送信するための通信インタフェースと、アクセスノード宛てのバースト信号を送信するための通信インタフェースとを個別に設ける必要が無くなる。よって、ノードの通信インタフェースを削減できるので、各ノードの装置コストも削減できる。
さらに、キューから読み取った各パケットの送信スケジュールは、各あて先のノードに対して個別に通信資源が割り当てられているので、ノード間通信の帯域保証を実現できる。
【００１５】
本発明は、制御主体となるコアノードと、前記コアノードに制御される複数のアクセスノードとが、複数本の光伝送路で接続される光集線ネットワークシステムが実行する光信号送信方法であって、
前記複数本の光伝送路が、それぞれ前記コアノードを起点として、前記複数のアクセスノードの接続順序が互いに異なっており、
前記各アクセスノードが、前記複数本の光伝送路に対してバースト信号を送信するバースト送信器を、前記複数本の光伝送路ごとに備えており、
前記各バースト送信器が、前記コアノードをあて先とするパケットと、前記各アクセスノードをあて先とするパケットとを格納するキューから読み取ったパケットを、自身のパケット送信に割り当てられている通信資源を用いて、同じ通信インタフェースを介して送信することを特徴とする。
【００１６】
これにより、コアノード宛てのバースト信号を送信するための通信インタフェースと、アクセスノード宛てのバースト信号を送信するための通信インタフェースとを個別に設ける必要が無くなる。よって、ノードの通信インタフェースを削減できるので、各ノードの装置コストも削減できる。
さらに、キューから読み取った各パケットの送信スケジュールは、コアノードもアクセスノードも区別せずに通信資源を使用できるので、キューも共通化するなど、さらなる装置のシンプル化とコスト削減を実現できる。
【発明の効果】
【００１７】
本発明によれば、光集線ネットワークシステムの通信インタフェースに関するコストを削減することができる。
【図面の簡単な説明】
【００１８】
【図１】本実施形態に係わるノード数が３の場合の光集線ネットワークシステムの構成図である。
【図２】本実施形態に係わる図１の右側アクセスノードの構成図である。
【図３】本実施形態に係わる図２の構成図に対して、ＢＴＸを共有化した形態の構成図である。
【図４】本実施形態に係わる図３の共有化ＢＴＸおよびカプラの詳細図である。
【図５】本実施形態に係わる図４のバースト送信制御に用いられる送信スケジュールを示す図である。
【図６】本実施形態に係わる共有化ＢＴＸにおいてあて先ごとに帯域を割り当てない簡略例を示す図である。
【図７】本実施形態に係わる図３の共有化ＢＴＸのバースト送信制御により流れるデータ信号の一例を示す図である。
【図８】光集線ネットワークシステムにおける下り連続信号の流れを示す図である。
【図９】図８の光集線ネットワークシステムにおけるバースト信号の流れを示す図である。
【発明を実施するための形態】
【００１９】
以下、本発明の一実施形態について、図面を参照して詳細に説明する。
【００２０】
図１は、ノード数が３の場合の光集線ネットワークシステムの構成図である。この図１の構成図は、図８，図９で前記した光集線ネットワークシステム（アクセスノードが４台）の構成に対して、説明のために、コアノード１台、アクセスノード２台だけを抜粋して記載した。なお、アクセスノードの台数は、２台や４台に限定されず、任意の複数台としてもよい。
【００２１】
光集線ネットワークシステムは、コアノード９が、左右２系統で各アクセスノード（左側アクセスノード１、右側アクセスノード２）に接続される構成である。
コアノード９は、左系統ＮＷ７Ｌに接続するためのＯＳＵ９１Ｌと、右系統ＮＷ７Ｒに接続するためのＯＳＵ９１Ｒと、外部接続された回線を介してやりとりされる信号について、左右２系統（ＯＳＵ９１Ｌ，９１Ｒ）のいずれかに信号を振り分けるレイヤ２スイッチであるＬ２ＳＷ９２とを有する。
【００２２】
左側アクセスノード１は、左系統ＮＷ７Ｌのカプラ（ＣＰ１９Ｌ）から分岐して接続されるＯＮＵ１１Ｌと、右系統ＮＷ７Ｒのカプラ（ＣＰ１９Ｒ）から分岐して接続されるＯＮＵ１１Ｒと、外部接続された回線を介してやりとりされる信号について、左右２系統（ＯＮＵ１１Ｌ，１１Ｒ）のいずれかに信号を振り分けるレイヤ２スイッチであるＬ２ＳＷ１２とを有する。
右側アクセスノード２は、左系統ＮＷ７Ｌのカプラ（ＣＰ２９Ｌ）から分岐して接続されるＯＮＵ２１Ｌと、右系統ＮＷ７Ｒのカプラ（ＣＰ２９Ｒ）から分岐して接続されるＯＮＵ２１Ｒと、外部接続された回線を介してやりとりされる信号について、左右２系統（ＯＮＵ２１Ｌ，２１Ｒ）のいずれかに信号を振り分けるレイヤ２スイッチであるＬ２ＳＷ２２とを有する。
【００２３】
右側アクセスノード２に着目すると、左側アクセスノード１宛てのパケットは、左系統ＮＷ７Ｌ（ＯＮＵ２１Ｌ→ＣＰ２９Ｌ→ＣＰ１９Ｌ→ＯＮＵ１１Ｌ）で送信される。
右側アクセスノード２からコアノード９宛てのパケットは、右系統ＮＷ７Ｒ（ＯＮＵ２１Ｒ→ＣＰ２９Ｒ→ＯＳＵ９１Ｒ）で送信される。右系統ＮＷ７Ｒ（右側アクセスノード２→コアノード９の１ホップ）のほうが、左系統ＮＷ７Ｌ（右側アクセスノード２→左側アクセスノード１→コアノード９の２ホップ）よりも近いからである。
【００２４】
図２は、図１の右側アクセスノード２の構成図である。
ＯＮＵ２１Ｌは、他装置（例えば左側アクセスノード１）宛てのバースト信号を扱うアクセス間ＯＮＵ２１Ｌ１と、コアノード９宛てのバースト信号および連続信号を扱うコア用ＯＮＵ２１Ｌ２とを有する。アクセス間ＯＮＵ２１Ｌ１はＣＰ２９Ｌのうちのアクセス間ＣＰ２９Ｌ１に接続される。コア用ＯＮＵ２１Ｌ２はＣＰ２９Ｌのうちのコア用ＣＰ２９Ｌ２に接続される。
ＯＮＵ２１ＲもＯＮＵ２１Ｌと同様に、２種類のＯＮＵ（コア用ＯＮＵ２１Ｒ１、アクセス間ＯＮＵ２１Ｒ２）を有し、２種類のＣＰ（コア用ＣＰ２９Ｒ１、アクセス間ＣＰ２９Ｒ２）に接続される。
【００２５】
アクセス間ＯＮＵ２１Ｌ１、アクセス間ＯＮＵ２１Ｒ２は、それぞれ、バースト信号を送信するバースト送信器（ＢＴＸ）と、バースト信号を受信するバースト受信器（ＢＲＸ）と、１０ＧＥ（10 gigabit Ethernet）のプロトコルに関する処理部とを有する。
コア用ＯＮＵ２１Ｌ２、コア用ＯＮＵ２１Ｒ１は、アクセス間ＯＮＵ２１Ｌ１、アクセス間ＯＮＵ２１Ｒ２と比べると、バースト受信器（ＢＲＸ）が下り連続信号を受信するための受信器（ＲＸ）に置き換わっている。
このような図２の構成では、コア用のＩＦ（インタフェース）として、送信用ＩＦが２系統分（ＢＴＸが２つ）、受信用ＩＦが２系統分（ＲＸが２つ）必要であり、アクセス間のＩＦ（インタフェース）として、送信用ＩＦが２系統分（ＢＴＸが２つ）、受信用ＩＦが２系統分（ＢＲＸが２つ）必要である。
【００２６】
図３は、図２の構成図に対して、ＢＴＸを共有化した形態の構成図である。
ＯＮＵ２１Ｌ内では、アクセス間ＯＮＵ２１Ｌ１内に存在していたＢＴＸの機能を、コア用ＯＮＵ２１Ｌ２内のＢＴＸ（太枠）に統合して共有化する。同様に、ＯＮＵ２１Ｒ内では、アクセス間ＯＮＵ２１Ｒ２内に存在していたＢＴＸの機能を、コア用ＯＮＵ２１Ｒ１内のＢＴＸ（太枠）に統合して共有化する。この共有化されたＢＴＸ（以下、共有化ＢＴＸ）は、他装置（例えば左側アクセスノード１）宛てのバースト信号を送信し、かつ、コアノード９宛てのバースト信号も送信する。
【００２７】
このような図３の構成では、コア用のＩＦ（インタフェース）として、送信用ＩＦが２系統分（共有化ＢＴＸが２つ）、受信用ＩＦが２系統分（ＲＸが２つ）必要であり、アクセス間のＩＦ（インタフェース）として、受信用ＩＦが２系統分（ＢＲＸが２つ）必要である。つまり、図２の構成に対して、送信用ＩＦが２系統分削減されることで、各アクセスノードの装置コストを削減できる。
【００２８】
図４は、図３の共有化ＢＴＸおよびカプラの詳細図である。
符号１１１に示すコア用ＣＰ２９Ｒ１およびアクセス間ＣＰ２９Ｒ２は、それぞれ外側からの１本のケーブルを受け、内側で２本に分岐する合分波器（Mux/demux）が、左右両側に付されている。この合分波器は、外側からの１本の入力を内側の２本の出力に分岐するときには分波器として機能し、内側の２本の出力を外側からの１本の入力に出力するときには合波器として機能する。
さらに、内側の２本の線について、上側の線は波長λＤ（Downstream）の下り連続信号が流れる線で、下側の線は波長λＵ（Upstream）の上りバースト信号が流れる線である。この内側の２本の線の途中には、丸印で示す分配器が付されており、１つの入力信号を２つの出力信号へと分配する。
【００２９】
符号１１２は、共有化ＢＴＸの内部構成である。共有化ＢＴＸは、クラシファイア５１と、あて先テーブル５２と、スケジューラ５３と、ＴＳ制御部５４と、バースト送信ＩＦ５５と、キュー５９ａと、キュー５９ｂと、キュー５９ｃとを有している。
Ｌ２ＳＷ２２から１０ＧＥを介して受信したパケットは、まず、共有化ＢＴＸのクラシファイア５１に入力される。
クラシファイア５１は、入力されたパケットのあて先を識別し、そのあて先をもとにあて先テーブル５２を参照することで、あて先に対応するキュー５９ａ〜５９ｃのいずれかにパケットを振り分ける（エンキュー）。キュー５９ａ〜５９ｃは、あて先のノード（アクセスノード、コアノード）１台に対して１つずつ設けられる。
【００３０】
ＴＳ制御部５４は、あて先のノードごとに用意された送信スケジュールを、例えばコアノード９からの下り連続信号としてあらかじめ受信しておく。スケジューラ５３は、ＴＳ制御部５４が受信した送信スケジュールをもとに、キュー５９ａ〜５９ｃ内に格納された送信対象のパケットを読み出し（デキュー）、バースト送信ＩＦ５５を介して光集線ネットワーク（左系統ＮＷ７Ｌ、右系統ＮＷ７Ｒ）にバースト送信する。
【００３１】
図５は、図４のバースト送信制御に用いられる送信スケジュールを示す図である。
符号１２１は、白紙の送信スケジュールを示す。送信スケジュールの横軸は時間多重（ＴＤＭ：Time Division Multiplexing）におけるＴＳ（Time Slot）を示し、送信スケジュールの縦軸は波長多重（ＷＤＭ：Wavelength Division Multiplexing）における単位波長を示す。ここでは、横軸でＳ個のＴＳに分割し、縦軸でＷ個の単位波長に分割した例を示す。つまり、１周期あたり（Ｗ波の波長）×（Ｓ個のＴＳ）の組み合わせが、あて先のノードごとに割当可能な帯域（通信資源）となる。
例えば、Ｗ＝４で１波長あたり１０Ｇ容量なら、１ファイバあたり４０Ｇの容量を持つ。または、Ｓ＝１０で１波長あたり１０Ｇ容量なら、１ＴＳあたり１００Ｍｂｐｓの帯域となる。
【００３２】
符号１２２は、符号１２１の後に送信スケジュールが割り当てられた後の一例を示す。あて先のノード「Ａ」には「λ１のＴＳ１」の領域が割り当てられる。あて先のノード「Ｂ」には「λ１のＴＳ２〜ＴＳ３」の領域が割り当てられる。つまり、ノード「Ｂ」にはノード「Ａ」よりも大きな領域（帯域）が割り当てられる。このノード「Ａ」、「Ｂ」には、アクセスノードだけでなくコアノード９も含めてもよい。
【００３３】
このように、あらかじめ各ノード間でのパス帯域を保証するように送信スケジュールを作成しておくことにより、トラヒックが突発的に到着した場合や、宛先が同一のトラヒックが集中的に偏って到着した場合でも、バースト送信制御でパス帯域を保証できる。
なお、送信スケジュールにおいて、どの波長を使って送信するかは、固定してもよく、定期的に変えてもよい。また、送信スケジュールにおいてどのＴＳを使って送信するかを指示する際に、ＴＳ番号を指示してもよいし、ＴＳ開始タイミングの時刻情報を指示してもよいし、送信開始タイミングと送信許可時間との組み合わせを指示してもよい。
【００３４】
そして、コアノード９または図示しない管理装置は、全ノード分の送信スケジュールを予め決定し、その送信スケジュール（新規作成分、変更分）を各ノードに伝える。これにより、各ノードのスケジューラ５３は、自身の送信スケジュールを参照することで、各波長および各ＴＳ（送信タイミング）における送信内容を特定できる。
なお、送信スケジュールを伝えるための制御信号には、その制御信号のあて先となる所定ノードごとに、その所定ノードを送信元としたときの各ノードをあて先とした送信スケジュールの内容が含まれている。その制御信号を受信したノードのＴＳ制御部５４は、自ノード宛の送信スケジュールを抽出し、スケジューラ５３の送信制御に反映させる。
【００３５】
なお、管理装置などの送信スケジュールを作成する装置は、ＣＰＵ（Central Processing Unit）と、メモリと、ハードディスクなどの記憶手段（記憶部）と、ネットワークインタフェースとを有するコンピュータとして構成される。
このコンピュータは、ＣＰＵが、メモリ上に読み込んだプログラム（アプリケーションや、その略のアプリとも呼ばれる）を実行することにより、各処理部により構成される制御部（制御手段）を動作させる。
【００３６】
図６は、共有化ＢＴＸにおいてあて先ごとに帯域を割り当てない簡略例を示す図である。
ここで、送信スケジュールを簡略化し、あて先ごとに帯域を割り当てない例（簡略例）も説明する。図５の符号１２２では、どの資源（波長、ＴＳ）を用いてどのノードに向けて送信するかという詳細な送信スケジュールを例示した。一方、図６の符号１３１では、「どのノードに向けて送信するか」というあて先を指定しないで「どのノードに向けて送信するかは問わない（ワイルドカードを示す「＊」）が、自身のノードが送信可能である」ように送信スケジュールを大まかに作成してもよい。
これにより、図４の符号１１２で示したキュー５９ａ〜キュー５９ｃは、図６の符号１３２に示すように１本のキュー５９に統合され、スケジューラ５３は、そのキュー５９の先頭から、あて先を問わずに次に送信するパケットを読み出せばよい。
【００３７】
図７は、図３の共有化ＢＴＸのバースト送信制御により流れるデータ信号の一例を示す図である。ここでは、右側アクセスノード２から左系統ＮＷ７Ｌを経由して左側アクセスノード１にデータ信号を送信する例を示す。
まず、右側アクセスノード２のＯＮＵ２１Ｌの共有化ＢＴＸは、自身の送信スケジュールを参照し、コアノード９あてのＴＳ１と、左側アクセスノード１あてのＴＳ３とでそれぞれパケットを送信する（符号２０１）。このパケットは、そのまま右側アクセスノード２から左側アクセスノード１に流れる（符号２０２）。
【００３８】
次に、左側アクセスノード１のＯＮＵ１１Ｌ内の共有化ＢＴＸは、自身の送信スケジュールを参照し、コアノード９あてのＴＳ２でパケットを送信する（符号２０３）。そして、左系統ＮＷ７Ｌ内のカプラＣＰで、符号２０２の２つのパケット（ＴＳ１，ＴＳ３）と、符号２０３の１つのパケット（ＴＳ２）とが衝突せずに合流する（符号２０４）。この３つのパケットは、次のカプラＣＰで左系統ＮＷ７Ｌの上流側（図では下側）と、ＯＮＵ１１Ｌ内のＢＲＸ（図では左側）とに分岐する（符号２０５）。
ＯＮＵ１１Ｌは、ＢＲＸがバースト受信した符号２０５の３つのパケットのうち、自身があて先であるＴＳ３のパケットだけを抽出する（符号２０６）。換言すると、自身があて先ではないＴＳ１，ＴＳ２のパケットは廃棄する。これにより、各ノードは送信スケジュールに従って、自ノード宛のパケットのみを受信することができる。
【００３９】
以上説明した本実施形態では、光集線ネットワークシステムを使用したＰＳＬネットワークにおいて、各アクセスノード（例えば右側アクセスノード２）は、左系統ＮＷ７Ｌ用のＯＮＵ（例えばＯＮＵ２１Ｌ）と、右系統ＮＷ７Ｒ用のＯＮＵ（例えばＯＮＵ２１Ｒ）とを配備する。そして、各ＯＮＵ内のバースト送信器（ＢＴＸ）は、パケットのあて先に従って利用するＯＮＵとして左右いずれかを選択する。
ここで、図３のように、ＢＴＸとして、他装置（例えば左側アクセスノード１）宛てのバースト信号を送信し、かつ、コアノード９宛てのバースト信号も送信する共有化ＢＴＸをＯＮＵ内に用いる。そして、波長およびＴＳのうちの少なくとも１つを割当対象とする送信スケジュールも、アクセスノード宛ての帯域と、コアノード９宛ての帯域とを重複しないようにそれぞれ事前割り当てしておく。
【００４０】
これにより、共有化ＢＴＸは、送信スケジュールを参照することで、アクセスノードにもコアノード９にも信号が衝突せず１つのインタフェースで共用してバースト送信することができる。つまり、図２のように、コアノード９あてのＢＴＸと、アクセスノードあてのＢＴＸとを別々に用意する構成に比べて、ノードの通信インタフェースを削減できるので、各ノードの装置コストも削減できる。
【符号の説明】
【００４１】
１      左側アクセスノード
２      右側アクセスノード
７Ｌ    左系統ＮＷ
７Ｒ    右系統ＮＷ
９      コアノード
１１Ｌ，１１Ｒ，２１Ｌ，２１Ｒ  ＯＮＵ
１９Ｌ，１９Ｒ，２９Ｌ，２９Ｒ  ＣＰ
５１    クラシファイア
５２    あて先テーブル
５３    スケジューラ
５４    ＴＳ制御部
５５    バースト送信ＩＦ
５９ａ〜５９ｃ  キュー
【図１】
2018042126.tif 000003
【図２】
2018042126.tif 000004
【図３】
2018042126.tif 000005
【図４】
2018042126.tif 000006
【図５】
2018042126.tif 000007
【図６】
2018042126.tif 000008
【図７】
2018042126.tif 000009
【図８】
2018042126.tif 000010
【図９】
2018042126.tif 000011